(57)【要約】      （修正有）【課題】折板屋根の山部の頂面より上方へ突出する突出部を利用して帯状の日除け用シートを簡易に取り付けることができる屋根体を提供する。【解決手段】屋根体Ｄは、山部Ｒ１と谷部Ｒ２を交互に繰り返すと共に、山部Ｒ１の頂面より上方へ突出する突出部を有する折板屋根Ｒと、この折板屋根Ｒを覆うように設けられる日除け用の帯状の日除け用シート２と、この帯状の日除け用シート２は、該帯状の日除け用シート２の長手方向が山部Ｒ１の長手方向を略直交すると共に、複数枚並設し、並設した帯状の日除け用シート２は、隣接する帯状の日除け用シート２の長手方向の端部同士が一部重ねられ、複数の帯状の日除け用シート２により折板屋根Ｒは覆われるものであり、突出部上の帯状の日除け用シート２は、帯状の日除け用シート２の上から挟持部材１０により挟持されて突出部に固定されているものである。【選択図】図３
2013181311.tif 000002
【特許請求の範囲】
【請求項１】
建物の頂部に設けられ、山部と谷部を交互に繰り返すと共に、前記山部の頂面より上方へ突出する突出部を有する折板屋根と、
この折板屋根を覆うように設けられる帯状の日除け用シートと、
この帯状の日除け用シートは、該帯状の日除け用シートの長手方向が前記山部の長手方向を略直交すると共に、複数枚並設し、
並設した前記帯状の日除け用シートは、隣接する前記帯状の日除け用シートの長手方向の端部同士が一部重ねられ、
複数の前記帯状の日除け用シートにより前記折板屋根は覆われるものであり、
前記突出部上の前記帯状の日除け用シートは、前記帯状の日除け用シートの上から挟持部材により挟持されて前記突出部に固定されている
ことを特徴とする屋根体。
【請求項２】
折板屋根は勾配を有して取り付けられ、
隣接する帯状の日除け用シートの内、位置的に高い側の帯状の日除け用シートの上に位置的に低い側の帯状の日除け用シートが重ねられ、
重ねられた位置的に高い側の帯状の日除け用シートの下端は緩く張られ、重ねられた位置的に低い側の帯状の日除け用シートの上端は、緊張して張られて、前記高い側の帯状の日除け用シートの下端と前記低い側の帯状の日除け用シートの上端との間に隙間が形成されている
ことを特徴とする請求項１記載の屋根体。 
【請求項３】
建物の頂部に配置されたエアコンの室外機と、
一端が前記エアコンの室外機に、他端が折板屋根の周縁部の一縁部にそれぞれ人の足が跨ることができる程度に近接し、前記エアコンの室外機と前記折板屋根の周縁部の一縁部の間の行き来を許容できるように隣接する前記折板屋根の谷部同士で構成された通路とを有し、
少なくとも、前記エアコンの室外機及び前記通路は、帯状の日除け用シートで覆われていない
ことを特徴とする請求項１記載の屋根体。
【請求項４】
建物の頂部に配置されたエアコンの室外機と、
一端が前記エアコンの室外機に、他端が折板屋根の周縁部の一縁部にそれぞれ人の足が跨ることができる程度に近接し、前記エアコンの室外機と前記折板屋根の周縁部の一縁部の間の行き来を許容できるように前記折板屋根の谷部の長手方向で構成された通路とを有し、
少なくとも、前記エアコンの室外機及び前記通路は、帯状の日除け用シートで覆われていない
ことを特徴とする請求項１記載の屋根体。
【請求項５】
建物の頂部に配置されたエアコンの室外機と、
折板屋根の谷部の長手方向で構成され、前記エアコンの室外機に至る人が通る第１の通路と、
一端が前記第１の通路に、他端が前記折板屋根の周縁部の一縁部にそれぞれ人の足が跨ることができる程度に近接し、前記第１の通路と前記折板屋根の周縁部の一縁部の間の行き来を許容できるように隣接する前記折板屋根の谷部同士で構成された第２の通路とを有し、
少なくとも、前記エアコンの室外機、前記第１の通路及び前記第２の通路は、帯状の日除け用シートで覆われていない
ことを特徴とする請求項１記載の屋根体。
【請求項６】
建物の頂部に配置されたエアコンの室外機と、
折板屋根の隣接する谷部同士で構成され、前記エアコンの室外機に至る人が通る第１の通路と、
一端が前記第１の通路に、他端が前記折板屋根の周縁部の一縁部にそれぞれ人の足が跨ることができる程度に近接し、前記第１の通路と前記折板屋根の周縁部の一縁部の間の行き来を許容できるように隣接する前記谷部の長手方向で構成された第２の通路とを有し、
少なくとも、前記エアコンの室外機、前記第１の通路及び前記第２の通路は、帯状の日除け用シートで覆われていない
ことを特徴とする請求項１記載の屋根体。
【請求項７】
既設の山部と谷部を交互に繰り返す折板屋根を帯状の日除け用シートで覆う屋根体の覆い方法であって、
前記帯状の日除け用シートの長手方向が前記山部の長手方向を略直交すると共に、複数枚並設し、並設した前記帯状の日除け用シートは、隣接する前記帯状の日除け用シートの長手方向の端部同士が一部重ねられ、
前記帯状の日除け用シートを前記折板屋根の山部に固定して取り付ける
ことを特徴とする屋根体の覆い方法。
【請求項８】
既設の山部と谷部を交互に繰り返すと共に、前記山部の頂面より上方へ突出する突出部を有する折板屋根を帯状の日除け用シートで覆う屋根体の覆い方法であって、
前記帯状の日除け用シートの長手方向が前記折板屋根の山部の長手方向を略直交すると共に、複数枚並設し、並設した前記帯状の日除け用シートは、隣接する前記帯状の日除け用シートの長手方向の端部同士が一部重ねられ、
前記突出部上の前記帯状の日除け用シートを前記帯状の日除け用シートの上から挟持部材により前記帯状の日除け用シートを挟持して前記突出部に固定する
ことを特徴とする屋根体の覆い方法。
【請求項９】
既設の山部と谷部を交互に繰り返すと共に、前記山部の頂面より上方へ突出する突出部を有する折板屋根を帯状の日除け用シートで覆う屋根体の覆い方法であって、
複数の前記帯状の日除け用シート内の第１の帯状の日除け用シートの長手方向が前記折板屋根の山部の長手方向を略直交するように配置し、配置後、前記突出部上の前記第１の帯状の日除け用シートを前記第１の帯状の日除け用シートの上から第１の挟持部材により前記第１の帯状の日除け用シートを介して前記突出部に固定し、
固定された前記第１の帯状の日除け用シートの上に、複数の前記帯状の日除け用シートの内の第２の帯状の日除け用シートの長手方向に長い端部の一部を重ねて、前記第２の帯状の日除け用シートの長手方向が前記折板屋根の山部の長手方向を略直交するように配置し、配置後、前記突出部上の前記第１の帯状の日除け用シートと前記第２の帯状の日除け用シートとの重ね部を前記第２の帯状の日除け用シートの上から挟持部材により前記第２の帯状の日除け用シートを介して前記突出部に固定する
ことを特徴とする屋根体の覆い方法。
【発明の詳細な説明】
【技術分野】
【０００１】
本発明は、屋根体及び屋根体の覆い方法に係り、特に、折板屋根の山部の頂面より上方へ突出する突出部を利用して帯状の日除け用シートを簡易に取り付けることができる屋根体及び屋根体の覆い方法に関する。
【背景技術】
【０００２】
省エネの観点から、折板屋根を覆い体で覆うものがある（例えば、特許文献参照）。
【先行技術文献】
【特許文献】
【０００３】
【特許文献１】実開昭５７−１５９９２４号公報
【発明の概要】
【発明が解決しようとする課題】
【０００４】
上記のものにあっては、屋根体を一枚物の覆い体で覆うとすれば、屋根体の大きさも種々あって、屋根体の大きさに合った一枚物の覆い体を施工現場で用意することは困難で、しかも、施工現場において、面積的に大きい屋根体を所定の緊張力を持って一枚物の覆い体で覆い、且つ、固定することは容易でないという問題点があった。
【０００５】
本発明は、上記の問題点を除去するようにした屋根体及び屋根体の覆い方法を提供することを目的とする。
【課題を解決するための手段】
【０００６】
請求項１記載の屋根体は、建物の頂部に設けられ、山部と谷部を交互に繰り返すと共に、前記山部の頂面より上方へ突出する突出部を有する折板屋根と、この折板屋根を覆うように設けられる帯状の日除け用シートと、この帯状の日除け用シートは、該帯状の日除け用シートの長手方向が前記山部の長手方向を略直交すると共に、複数枚並設し、並設した前記帯状の日除け用シートは、隣接する前記帯状の日除け用シートの長手方向の端部同士が一部重ねられ、複数の前記帯状の日除け用シートにより前記折板屋根は覆われるものであり、前記突出部上の前記帯状の日除け用シートは、前記帯状の日除け用シートの上から挟持部材により挟持されて前記突出部に固定されているものである。
【０００７】
また、請求項２記載の屋根体は、請求項１記載の屋根体において、折板屋根は勾配を有して取り付けられ、隣接する帯状の日除け用シートの内、位置的に高い側の帯状の日除け用シートの上に位置的に低い側の帯状の日除け用シートが重ねられ、重ねられた位置的に高い側の帯状の日除け用シートの下端は緩く張られ、重ねられた位置的に低い側の帯状の日除け用シートの上端は、緊張して張られて、前記高い側の帯状の日除け用シートの下端と前記低い側の帯状の日除け用シートの上端との間に隙間が形成されているものである。
【０００８】
また、請求項３記載の屋根体は、請求項１記載の屋根体において、建物の頂部に配置されたエアコンの室外機と、一端が前記エアコンの室外機に、他端が折板屋根の周縁部の一縁部にそれぞれ人の足が跨ることができる程度に近接し、前記エアコンの室外機と前記折板屋根の周縁部の一縁部の間の行き来を許容できるように隣接する前記折板屋根の谷部同士で構成された通路とを有し、少なくとも、前記エアコンの室外機及び前記通路は、帯状の日除け用シートで覆われていないものである。
【０００９】
また、請求項４記載の屋根体は、請求項１記載の屋根体において、建物の頂部に配置されたエアコンの室外機と、一端が前記エアコンの室外機に、他端が折板屋根の周縁部の一縁部にそれぞれ人の足が跨ることができる程度に近接し、前記エアコンの室外機と前記折板屋根の周縁部の一縁部の間の行き来を許容できるように前記折板屋根の谷部の長手方向で構成された通路とを有し、少なくとも、前記エアコンの室外機及び前記通路は、帯状の日除け用シートで覆われていないものである。
【００１０】
また、請求項５記載の屋根体は、請求項１記載の屋根体において、建物の頂部に配置されたエアコンの室外機と、折板屋根の谷部の長手方向で構成され、前記エアコンの室外機に至る人が通る第１の通路と、一端が前記第１の通路に、他端が前記折板屋根の周縁部の一縁部にそれぞれ人の足が跨ることができる程度に近接し、前記第１の通路と前記折板屋根の周縁部の一縁部の間の行き来を許容できるように隣接する前記折板屋根の谷部同士で構成された第２の通路とを有し、少なくとも、前記エアコンの室外機、前記第１の通路及び前記第２の通路は、帯状の日除け用シートで覆われていないものである。
【００１１】
また、請求項６記載の屋根体は、請求項１記載の屋根体において、建物の頂部に配置されたエアコンの室外機と、折板屋根の隣接する谷部同士で構成され、前記エアコンの室外機に至る人が通る第１の通路と、一端が前記第１の通路に、他端が前記折板屋根の周縁部の一縁部にそれぞれ人の足が跨ることができる程度に近接し、前記第１の通路と前記折板屋根の周縁部の一縁部の間の行き来を許容できるように隣接する前記谷部の長手方向で構成された第２の通路とを有し、少なくとも、前記エアコンの室外機、前記第１の通路及び前記第２の通路は、帯状の日除け用シートで覆われていないものである。
【００１２】
また、請求項７記載の屋根体の覆い方法は、既設の山部と谷部を交互に繰り返す折板屋根を帯状の日除け用シートで覆う屋根体の覆い方法であって、前記帯状の日除け用シートの長手方向が前記山部の長手方向を略直交すると共に、複数枚並設し、並設した前記帯状の日除け用シートは、隣接する前記帯状の日除け用シートの長手方向の端部同士が一部重ねられ、前記帯状の日除け用シートを前記折板屋根の山部に固定して取り付けるものである。
【００１３】
また、請求項８記載の屋根体の覆い方法は、既設の山部と谷部を交互に繰り返すと共に、前記山部の頂面より上方へ突出する突出部を有する折板屋根を帯状の日除け用シートで覆う屋根体の覆い方法であって、前記帯状の日除け用シートの長手方向が前記折板屋根の山部の長手方向を略直交すると共に、複数枚並設し、並設した前記帯状の日除け用シートは、隣接する前記帯状の日除け用シートの長手方向の端部同士が一部重ねられ、前記突出部上の前記帯状の日除け用シートを前記帯状の日除け用シートの上から挟持部材により前記帯状の日除け用シートを挟持して前記突出部に固定するものである。
【００１４】
また、請求項９記載の屋根体の覆い方法は、既設の山部と谷部を交互に繰り返すと共に、前記山部の頂面より上方へ突出する突出部を有する折板屋根を帯状の日除け用シートで覆う屋根体の覆い方法であって、複数の前記帯状の日除け用シート内の第１の帯状の日除け用シートの長手方向が前記折板屋根の山部の長手方向を略直交するように配置し、配置後、前記突出部上の前記第１の帯状の日除け用シートを前記第１の帯状の日除け用シートの上から第１の挟持部材により前記第１の帯状の日除け用シートを介して前記突出部に固定し、固定された前記第１の帯状の日除け用シートの上に、複数の前記帯状の日除け用シートの内の第２の帯状の日除け用シートの長手方向に長い端部の一部を重ねて、前記第２の帯状の日除け用シートの長手方向が前記折板屋根の山部の長手方向を略直交するように配置し、配置後、前記突出部上の前記第１の帯状の日除け用シートと前記第２の帯状の日除け用シートとの重ね部を前記第２の帯状の日除け用シートの上から挟持部材により前記第２の帯状の日除け用シートを介して前記突出部に固定するものである。
【発明の効果】
【００１５】
請求項１記載の屋根体によれば、帯状の日除け用シートは、該帯状の日除け用シートの長手方向が山部の長手方向を略直交すると共に、複数枚並設し、並設した帯状の日除け用シートは、隣接する帯状の日除け用シートの長手方向の端部同士が一部重ねられて、折板屋根を複数の帯状の日除け用シートにより覆うため、従来のような一枚物で覆うものに比べ、複数の帯状の日除け用シートと個別化した分、施工し易く、しかも、帯状の日除け用シートの長手方向が山部の長手方向を略直交すると共に、複数枚並設し、並設した帯状の日除け用シートは、隣接する帯状の日除け用シートの長手方向の端部同士が一部重ねられ、複数の帯状の日除け用シートにより折板屋根は覆われるものであり、突出部上の帯状の日除け用シートは、帯状の日除け用シートの上から挟持部材により挟持されて突出部に固定されているため、折板屋根の突出部を利用して、帯状の日除け用シートに穴を開けることなく、帯状の日除け用シートの上から挟持部材により挟持して折板屋根を帯状の日除け用シートにより簡易且つ迅速に覆うことができる。
【００１６】
また、請求項２記載の屋根体によれば、上述した請求項１記載の発明の効果に加え、重ねられた位置的に高い側の帯状の日除け用シートの下端は緩く張られ、重ねられた位置的に低い側の帯状の日除け用シートの上端は、緊張して張られて、前記高い側の帯状の日除け用シートの下端と前記低い側の帯状の日除け用シートの上端との間に隙間が形成されているため、該隙間を介して帯状の日除け用シートの下から侵入してくる風、帯状の日除け用シートの上から押さえつけるような風を通過させ、帯状の日除け用シートにかかる風圧の軽減化を図り、しかも、帯状の日除け用シート上に降った雨を前記隙間から折板屋根の谷部に導いて、帯状の日除け用シートにかかる雨の重量の軽減化をも図り、更に、夏場にあっては、帯状の日除け用シート上に降った雨を前記隙間から折板屋根の谷部に導いて、折板屋根をも冷却することができる。
【００１７】
また、請求項３記載の屋根体によれば、少なくとも、エアコンの室外機及び通路は、帯状の日除け用シートで覆われていないため、折板屋根を覆っている帯状の日除け用シートを剥がすことなく、そのままにして、折板屋根の谷部を利用した通路を使ってエアコンの室外機の点検をすることができる。
【００１８】
また、請求項４記載の屋根体によれば、少なくとも、エアコンの室外機及び通路は、帯状の日除け用シートで覆われていないため、折板屋根を覆っている帯状の日除け用シートを剥がすことなく、そのままにして、折板屋根の谷部の長手方向を利用した通路を使ってエアコンの室外機の点検をすることができる。  
【００１９】
また、請求項５記載の屋根体によれば、少なくとも、エアコンの室外機、第１の通路及び第２の通路は、帯状の日除け用シートで覆われていないため、折板屋根を覆っている帯状の日除け用シートを剥がすことなく、そのままにして、折板屋根の谷部を利用した第１、第２の通路を使ってエアコンの室外機の点検をすることができる。  
【００２０】
また、請求項６記載の屋根体によれば、少なくとも、エアコンの室外機、第１の通路及び第２の通路は、帯状の日除け用シートで覆われていないため、折板屋根を覆っている帯状の日除け用シートを剥がすことなく、そのままにして、折板屋根の谷部を利用した第１、第２の通路を使ってエアコンの室外機の点検をすることができる。
【００２１】
また、請求項７記載の屋根体の覆い方法によれば、帯状の日除け用シートは、該帯状の日除け用シートの長手方向が既設の折板屋根の山部の長手方向を略直交すると共に、複数枚並設し、並設した前記帯状の日除け用シートは、隣接する前記帯状の日除け用シートの長手方向の端部同士が一部重ねられて、既設の折板屋根を複数の帯状の日除け用シートにより覆うため、従来のような一枚物で覆うものに比べ、複数の帯状の日除け用シートと個別化した分、施工がし易い。
【００２２】
また、請求項８記載の屋根体の覆い方法によれば、帯状の日除け用シートは、該帯状の日除け用シートの長手方向が既設の折板屋根の山部の長手方向を略直交すると共に、複数枚並設し、並設した前記帯状の日除け用シートは、隣接する前記帯状の日除け用シートの長手方向の端部同士が一部重ねられて、既設の折板屋根を複数の帯状の日除け用シートにより覆うため、従来のような一枚物で覆うものに比べ、複数の帯状の日除け用シートと個別化した分、施工がし易く、しかも、帯状の日除け用シートの長手方向が既設の折板屋根の山部の長手方向を略直交すると共に、複数枚並設し、並設した前記帯状の日除け用シートは、隣接する前記帯状の日除け用シートの長手方向の端部同士が一部重ねられ、複数の前記帯状の日除け用シートにより前記折板屋根は覆われるものであり、前記突出部上の前記帯状の日除け用シートは、前記帯状の日除け用シートの上から挟持部材により挟持されて前記突出部に固定されているため、折板屋根の突出部を利用して、帯状の日除け用シートに穴を開けることなく、帯状の日除け用シートの上から挟持部材により挟持して折板屋根を帯状の日除け用シートにより簡易且つ迅速に覆うことができる。
【００２３】
また、請求項９記載の屋根体の覆い方法によれば、第１、第２の帯状の日除け用シートは、該第１、第２の帯状の日除け用シートの長手方向が既設の折板屋根の山部の長手方向を略直交すると共に、複数枚並設し、並設した前記第１、第２の帯状の日除け用シートは、隣接する前記第１、第２の帯状の日除け用シートの長手方向の端部同士が一部重ねられて、既設の折板屋根を複数の帯状の日除け用シートにより覆うため、従来のような一枚物で覆うものに比べ、複数の帯状の日除け用シートと個別化した分、施工がし易く、しかも、第１、第２の帯状の日除け用シートの長手方向が既設の折板屋根の山部を略直交すると共に、複数枚並設し、並設した前記第１、第２の帯状の日除け用シートは、隣接する前記第１、第２の帯状の日除け用シートの長手方向の端部同士が一部重ねられ、複数の前記第１、第２の帯状の日除け用シートにより前記折板屋根は覆われるものであり、前記突出部上の前記第１、第２の帯状の日除け用シートは、前記帯状の日除け用シートの上から挟持部材により挟持されて前記突出部に固定されているため、折板屋根の突出部を利用して、第１、第２の帯状の日除け用シートに穴を開けることなく、帯状の日除け用シートの上から第１の帯状の日除け用シートと第２の帯状の日除け用シートとの重ね部を挟持部材により挟持して折板屋根を帯状の日除け用シートにより簡易且つ迅速に覆うことができる。
【図面の簡単な説明】
【００２４】
【図１】図１は、本発明の一実施例の対象である折板屋根の施工前の概略的平面図である。
【図２】図２は、図１の一部の折板屋根の概略的斜視図である。
【図３】図３は、図１の折板屋根を帯状の日除け用シートにより覆った状態を示す概略的平面図である。
【図４】図４は、図３の矢印Ａ方向から見た概略的図である。
【図５】図５は、図３の５−５線による概略的断面図である。
【図６】図６は、図３の一部を拡大して示す概略的一部拡大斜視図である。
【図７】図７は、図６の低い側の帯状の日除け用シートの一部を図６の高い側の帯状の日除け用シートに重ねる前の状態を示す概略的一部拡大斜視図である。
【図８】図８は、図３の８−８線による概略的断面図である。
【図９】図９は、図３の９−９線による概略的断面図である。
【図１０】図１０は、図３と異なる他の実施例の点検通路を避けて折板屋根を帯状の日除け用シートにより覆った状態を示す概略的平面図である。
【図１１】図１１は、図１０と異なる他の実施例の点検通路を避けて折板屋根を帯状の日除け用シートにより覆った状態を示す概略的平面図である。
【図１２】図１２は、図１１と異なる他の実施例の点検通路を避けて折板屋根を帯状の日除け用シートにより覆った状態を示す概略的平面図である。
【図１３】図１３は、図１２と異なる他の実施例の点検通路を避けて折板屋根を帯状の日除け用シートにより覆った状態を示す概略的平面図である。
【図１４】図１４は、図６の帯状の日除け用シートを挟持部材により折板屋根に取り付ける前の状態の概略的図である。
【図１５】図１５は、図１４の帯状の日除け用シートを挟持部材により折板屋根に取り付けた状態の概略的図である。
【図１６】図１６（ａ）は、図１４の挟持部材と異なる他の実施例の挟持部材の概略的斜視図であり、図１６（ｂ）は、図１６（ａ）の挟持部材により帯状の日除け用シートを折板屋根に取り付けた状態の概略的図である。
【図１７】図１７は、図１と異なる折板屋根に図１６の挟持部材と異なる他の実施例の挟持部材により帯状の日除け用シートを折板屋根に取り付けた状態の概略的図である。
【図１８】図１８は、図１７を分解して示す概略的図である。
【図１９】図１９は、図１８の挟持部材の一部材の概略的平面図である。
【図２０】図２０は、図１７と異なる折板屋根に図１７の挟持部材と異なる他の実施例の挟持部材により帯状の日除け用シートを折板屋根に取り付けた状態の概略的図である。
【図２１】図２１は、図２０の２１−２１線による概略的断面図である。
【図２２】図２２は、図２１を分解して示す概略的図である。
【発明を実施するための形態】
【００２５】
本発明の一実施例の屋根体及び屋根体の覆い方法を図面を参照して説明する。
図３、図４及び図５に示すＤは屋根体で、屋根体Ｄは、図１及び図２に示すコンビニ、工場等の建物１の屋根Ｒを複数の帯状の日除け用シート２で覆って、夏の太陽光を遮光し、太陽光の熱を建物１へ伝達しにくいようにして、夏の冷房負荷の軽減化を図るようにしたものである。
【００２６】
本発明の対象である屋根Ｒは、建物１の頂部に設けられ、山部Ｒ１と谷部Ｒ２を交互に繰り返すと共に、山部Ｒ１の頂面より上方へ突出する突出部Ｒ３（図２参照）を有する折板屋根である。
なお、突出部Ｒ３は、例えば、周知の嵌合式（馳式）折板の嵌合部（折板屋根部材と折板屋根部材とを結合する結合部）である。
図３、図４及び図５に示す２は、図１及び図２に示す折板屋根Ｒを覆うように設けられる帯状の日除け用シートで、帯状の日除け用シート２は、幅より長手方向が長い帯状の部材で、例えば、幅約１９００ｍｍの長尺もの（又は幅約８５０ｍｍの長尺もの）である。帯状の日除け用シート２は、例えば、開口部がないものでも良いが、望ましくは、開口部を複数有したメッシュシートが良く、幅１９００ｍｍ（又は幅約８５０ｍｍの長尺もの）、長さ２０ｍ（又は５０ｍ）の長尺ものを使用して施工する。
帯状の日除け用シート２は、該帯状の日除け用シート２の長手方向が山部Ｒ１の長手方向を略直交すると共に、複数枚並設し、並設した帯状のシート２、２・・・は、隣接する帯状のシート２の長手方向の端部同士が一部重ねられ（例えば、約６０ｍｍ程度重ねる。)、複数の帯状のシート２、２・・・により折板屋根Ｒは覆われるようになっている。
【００２７】
そして、突出部Ｒ３上の帯状の日除け用シート２は、帯状の日除け用シート２の上から挟持部材１０により挟持されて突出部Ｒ３に固定されている。
即ち、挟持部材１０は、例えば、図１４に示すように、略門形状をなした挟持部材本体１０１、この挟持部材本体１０１の両脚部の先端が外側に向かって巻くカール部１０２、１０３、挟持部材本体１０１の両脚部の中途に設けた穴１０４、１０５を貫通して取り付けられるボルト１０６、このボルト１０６に螺合するナット１０７より構成されている。
従って、帯状のシート２を突出部Ｒ３の上に位置させ、挟持部材本体１０１の内方に突出部Ｒ３が位置するようにして、ボルト１０６の先端を穴１０４、１０５を貫通させ、貫通後、ボルト１０６の先端にナット１０７を螺合させて締め付け、挟持部材本体１０１の脚部と突出部Ｒ３とで挟持して帯状のシート２を突出部Ｒ３に取り付けることができる（図１５参照）。
なお、特に、カール部１０２、１０３が帯状の日除け用シート２を介して折板屋根Ｒの山部Ｒ１に安定して支持されている。  
【００２８】
また、本願発明の挟持部材１０は、上述した実施例に限らず、図１６記載の挟持部材１０でも良い。
即ち、図１６（ａ）（ｂ）記載の挟持部材１０にあっては、図１４記載の挟持部材１０のような両脚部を接続する頂面を省略し、その代わりに、外側に向かう上出っ張り部１０８ａ、第１の穴１０８ｂ、外側に向かう下出っ張り部１０８ｃを有する第１の脚部１０８、外側に向かう上出っ張り部１０９ａ、第２の穴１０９ｂ、外側に向かう下出っ張り部１０９ｃを有する第２の脚部１０９、第１の穴１０８ｂ、第２の穴１０９ｂを貫通して取り付けられるボルト１０６、このボルト１０６に螺合するナット１０７より構成され、
帯状の日除け用シート２を突出部Ｒ３の上に位置させ、突出部Ｒ３の一方側に第１の脚部１０８の下出っ張り部１０８ｃを、突出部Ｒ３の他方側に第２の脚部１０９の下出っ張り部１０９ｃを、それぞれ位置させ、ボルト１０６の先端を穴１０８ｂ、１０９ｂを貫通させ、貫通後、ボルト１０６の先端にナット１０７を螺合させて締め付け、突出部Ｒ３の一方側と第１の脚部１０８、突出部Ｒ３の他方側と第２の脚部１０９で帯状の日除け用シート２を挟持して帯状の日除け用シート２を突出部Ｒ３に取り付けることができる。
図１６（ａ）（ｂ）記載の挟持部材１０にあっても、図１４記載の挟持部材１０と同様に、下出っ張り部１０８ｃ、下出っ張り部１０９ｃが帯状の日除け用シート２を介して折板屋根Ｒの山部Ｒ１に安定して支持される。  
【００２９】
また、本願発明の挟持部材１０は、上述した実施例に限らず、図１７乃至図１９記載の挟持部材１０でも良い。
即ち、図１７乃至図１９記載の挟持部材１０にあっては、上述した実施例のような突出部Ｒ３がない場合に好適である。
挟持部材１０は、図１８に示すように、頂部１０１ａ、この頂部１０１ａより下方に延びる複数の脚部１０１ｂ、１０１ｂ、１０１ｂ、１０１ｂを有する挟持部材本体１０１、ボルト１０６、ワッシャＷ、ナット１０７から構成されている。
先ず、挟持部材１０の脚部１０１ｂの裏面側に接着剤Ｓを塗布し、接着剤Ｓを折板屋根Ｒの傾斜部ＲＫに付着させて、挟持部材１０を立設させる。
次に、頂部１０１ａに設けた穴１０１ｃ、該穴１０１ｃに対応する帯状の日除け用シート２の部位に設けられた開口部２ａにボルト１０６を通し、ボルト１０６の先端を介してワッシャＷを入れ、ボルト１０６の先端をナット１０７に螺合させて、ボルト１０６とナット１０７とで締め付ける。
その結果、挟持部材１０の頂部１０１ａとワッシャＷとで帯状の日除け用シート２を挟持させることができる。
なお、図１８に示す２ａは、帯状のシート２に設けたボルト１０６を通す開口部である。
【００３０】
また、本願発明の挟持部材１０は、上述した実施例に限らず、図２０乃至図２２記載の挟持部材１０でも良い。
即ち、図２０乃至図２２記載の挟持部材１０にあっては、上述した実施例のような山部Ｒ１の頂面に剣先ボルトＫがある場合に好適である。
この挟持部材１０は、図２２に示すように、頂部１０１ａ、この頂部１０１ａに設けた穴１０１ｂ、頂部１０１ａより下方に延びる複数の脚部１０１ｃ、１０１ｃ、該複数の脚部１０１ｃ、１０１ｃからそれぞれ外方に張り出す張出部１０１ｄ、１０１ｄを有する挟持部材本体１０１、ボルト１０６、ワッシャＷ、剣先ボルトＫとボルト１０６にそれぞれ螺合する雌ねじを有する筒状の雌ねじ体１１０から構成されている。
先ず、剣先ボルトＫの雄ネジを挟持部材１０の雌ねじ体１１０に螺合させる。次に、ボルト１０６の先端をワッシャＷ、帯状の日除け用シート２に設けた開口部２ａ、穴１０１ｂから通し、穴１０１ｂを通したボルト１０６の先端の雄ネジを雌ねじ体１１０に螺合させ、締め付ける。
その結果、挟持部材１０の頂部１０１ａとワッシャＷとで帯状の日除け用シート２を挟持させることができる。
その際、図２１に示すように、挟持部材１０の張出部１０１ｄ、１０１ｄは折板屋根Ｒの山部Ｒ１の頂面に当接するため、挟持部材１０を折板屋根Ｒの頂部１０１ａに安定して取り付けることができる。なお、図２０乃至図２２に示すＳＧは、折板屋根Ｒを支持する部材である。
【００３１】
なお、上述した屋根体Ｄは、既設の折板屋根Ｒに好適である。
即ち、図３乃至図９に示すように、複数の帯状の日除け用シート２、２・・・の内の第１の帯状の日除け用シート２１（２）の長手方向が山部Ｒ１の長手方向を略直交するように配置し、配置後、突出部Ｒ３上の第１の帯状の日除け用シート（２）を第１の帯状の日除け用シート２１（２）の上から挟持部材１０により第１の帯状の日除け用シート２１（２）を介して突出部Ｒ３に固定する。
次に、固定された第１の帯状の日除け用シート２１（２）の上に、複数の帯状の日除け用シート２、２・・・の内の第２の帯状の日除け用シート２２（２）の長手方向に長い端部の一部を重ねて（重ねは、図７に示すように、第２の帯状の日除け用シート２２（２）の上端側を矢印ＸＹ方向へ移動させ、その後、矢印ＹＺ方向へ移動させて、位置的に高い側の第１の帯状の日除け用シート２１（２）の下端側の部位ａ’ｂ’、ｃ’ｄ’の上に位置的に低い側の帯状の日除け用シート第２の帯状の日除け用シート２２（２）の上端側の部位ａｂ、ｃｄを一致させるようにし、その重ね量は、例えば、帯状の日除け用シート２の幅、約１９００ｍｍに対して、約６０ｍｍ程度である。）、第２の帯状の日除け用シート２２（２）の長手方向が山部Ｒ１の長手方向を略直交するように配置し、配置後、突出部Ｒ１上の第２の帯状の日除け用シート２２（２）を第２の帯状の日除け用シート２２（２）の上から挟持部材１０により第２の帯状の日除け用シート２２（２）を介して突出部Ｒ３に固定することができる。
【００３２】
従って、上述した屋根体Ｄ(又は屋根体の覆い方法）によれば、帯状の日除け用シート２は、該帯状の日除け用シート２の長手方向が山部Ｒ１の長手方向を略直交すると共に、複数枚並設し、並設した帯状の日除け用シート２は、隣接する帯状の日除け用シート２の長手方向の端部同士が一部重ねられて、折板屋根Ｒを複数の帯状の日除け用シート２により覆うため、従来のような一枚物で覆うものに比べ、複数の帯状の日除け用シート２と個別化した分、施工し易いと共に、帯状の日除け用シート２に係る雨の重量を分散化でき、しかも、帯状の日除け用シート２の長手方向が山部Ｒ１の長手方向を略直交すると共に、複数枚並設し、並設した帯状の日除け用シート２は、隣接する帯状の日除け用シート２の長手方向の端部同士が一部重ねられ、複数の帯状の日除け用シート２により折板屋根Ｒは覆われるものであり、突出部Ｒ３上の帯状の日除け用シート２は、帯状の日除け用シート２の上から挟持部材１０により挟持されて突出部Ｒ３に固定されているため、折板屋根Ｒの突出部Ｒ３を利用して、帯状の日除け用シート２に穴を開けることなく、帯状の日除け用シート２の上から挟持部材１０により挟持して折板屋根Ｒを帯状の日除け用シート２により簡易且つ迅速に覆うことができる。
なお、特に、突出部Ｒ３上の第１の帯状の日除け用シート２（２１）と第２の帯状の日除け用シート２（２２）との重ね部を第２の帯状の日除け用シート２（２２）の上から挟持部材１０により第２の帯状の日除け用シート２（２２）を介して突出部Ｒ３に固定することができる（図８参照）。
【００３３】
また、折板屋根Ｒは勾配を有して取り付けられ、例えば、図３で言えば、折板屋根Ｒは、雨を奥側ＲＨから手前側ＲＬに向かって流すように、手前側ＲＬが奥側ＲＨより若干低くなるように勾配を付けて建物１に取り付けられている。
そして、隣接する帯状の日除け用シート２、２・・・の内、位置的に高い側の帯状の日除け用シートの２１（２）上に位置的に低い側の帯状の日除け用シート２２（２）が重ねられ、重ねられた位置的に高い側の帯状の日除け用シート２１（２）の下端は緩く張られ、重ねられた位置的に低い側の帯状の日除け用シート２２（２）の上端は、緊張して張られて、高い側の帯状の日除け用シート２１（２）の下端と低い側の帯状の日除け用シート２２（２）の上端との間に隙間ＫＯが形成されている
これは、隙間ＫＯを介して帯状の日除け用シート２の下から侵入してくる風、帯状の日除け用シート２の上から押さえつけるような風を通過させ、帯状の日除け用シート２にかかる風圧の軽減化を図り、しかも、帯状の日除け用シート２上に降った雨を隙間ＫＯから折板屋根Ｒの谷部Ｒ２に導いて、帯状の日除け用シート２にかかる雨の重量の軽減化をも図り、更に、夏場にあっては、帯状の日除け用シート２上に降った雨を隙間ＫＯから折板屋根Ｒの谷部Ｒ２に導いて、折板屋根Ｒをも冷却することができるようにするためである。
【００３４】
また、図１及び図３に示すＸ１、Ｘ２、Ｘ３、Ｘ４は、建物１の頂部に配置されたエアコンの室外機で、図３に示すＰ１は、折板屋根Ｒの谷部Ｒ２で構成され、エアコンの室外機Ｘ１に至る人が通る第１の通路で、Ｐ２は、一端が第１の通路Ｐ１に、他端が折板屋根Ｒの周縁部ＨＩＪＫの一縁部ＨＫにそれぞれ人の足が跨ることができる程度に近接し、第１の通路Ｐ１と折板屋根Ｒの周縁部ＨＩＪＫの一縁部ＨＫの間の行き来を許容できるように隣接する谷部Ｒ２同士で構成された第２の通路で、Ｐ３は、折板屋根Ｒの谷部Ｒ２で構成され、エアコンの室外機Ｘ２とエアコンの室外機Ｘ３、Ｘ４に至る人が通る第３の通路で、Ｐ４は、一端が第１の通路Ｐ１及び第２の通路Ｐ２に、他端が第３の通路Ｐ３にそれぞれ人の足が跨ることができる程度に近接し、第１の通路Ｐ１及び第２の通路Ｐ２と第３の通路Ｐ３との間の行き来を許容できるように隣接する谷部Ｒ２同士で構成された第４の通路である。
帯状の日除け用シート２は、図３に示すように、エアコンの室外機Ｘ１、Ｘ２、Ｘ３、Ｘ４、第１の通路Ｐ１、第２の通路Ｐ２、第３の通路Ｐ３、第４の通路Ｐ４を残して、折板屋根Ｒを帯状の日除け用シート２で覆うようにしている。
そのため、折板屋根Ｒを覆っている帯状のシート２を剥がすことなく、そのままにして、第１の通路Ｐ１、第２の通路Ｐ２、第３の通路Ｐ３、第４の通路Ｐ４を通って、エアコンの室外機Ｘ１、Ｘ２、Ｘ３、Ｘ４の点検をすることができる。  
【００３５】
なお、建物１の頂部に配置されるエアコンの室外機Ｘ１の設置位置は種々あって、例えば、図１０記載のものにあっては、Ｐは、一端がエアコンの室外機Ｘ１に、他端が折板屋根Ｒの周縁部ＨＩＪＫの一縁部ＩＪにそれぞれ人の足が跨ることができる程度に近接し、エアコンの室外機Ｘ１と折板屋根ＲのＨＩＪＫの一縁部ＩＪの間の行き来を許容できるように隣接する折板屋根Ｒの谷部Ｒ２同士で構成された通路で、該通路Ｐは隣接する一方の谷部Ｒ２と隣接する他方の谷部Ｒ２とに足をかけて通ることができるようになっている。
そして、少なくとも、エアコンの室外機Ｘ１及び通路Ｐは、帯状の日除け用シート２で覆わないようになっている（図１０参照）。
そのため、図１０記載の屋根体Ｄにあっては、折板屋根Ｒを覆っている帯状の日除け用シート２を剥がすことなく、そのままにして、折板屋根Ｒの谷部Ｒ２を利用した通路Ｐを使ってエアコンの室外機Ｘ１の点検をすることができる。
【００３６】
また、例えば、図１１記載のものにあっては、Ｐは、一端がエアコンの室外機Ｘ１に、他端が折板屋根Ｒの周縁部ＨＩＪＫの一縁部ＪＫにそれぞれ人の足が跨ることができる程度に近接し、エアコンの室外機Ｘ１と折板屋根Ｒの周縁部ＨＩＪＫの一縁部ＪＫの間の行き来を許容できるように折板屋根Ｒの谷部Ｒ２の長手方向で構成された通路で、該通路Ｐは谷部Ｒ２の長手方向を利用して足をかけて通ることができるようになっている。
そして、少なくとも、エアコンの室外機Ｘ１及び通路Ｐは、帯状の日除け用シート２で覆わないようになっている（図１１参照）。
そのため、図１１記載の屋根体Ｄにあっては、折板屋根Ｒを覆っている帯状の日除け用シート２を剥がすことなく、そのままにして、折板屋根Ｒの谷部Ｒ２の長手方向を利用した通路Ｐを使ってエアコンの室外機Ｘ１の点検をすることができる。
【００３７】
また、例えば、図１２記載のものにあっては、Ｐ１は、折板屋根Ｒの谷部Ｒ２の長手方向で構成され、エアコンの室外機Ｘ１に至る人が通る第１の通路で、該第１の通路Ｐ１は、谷部Ｒ２の長手方向を利用して足をかけて通ることができるようになっている。
また、Ｐ２は、一端が第１の通路Ｐ１に、他端が折板屋根Ｒの周縁部ＨＩＪＫの一縁部ＨＫにそれぞれ人の足が跨ることができる程度に近接し、第１の通路Ｐ１と折板屋根Ｒの周縁部ＨＩＪＫの一縁部ＨＫの行き来を許容できるように隣接する折板屋根Ｒの谷部Ｒ２同士で構成された第２の通路で、該第２の通路Ｐ２は、隣接する一方の谷部Ｒ２と隣接する他方の谷部Ｒ２とに足をかけて通ることができるようになっている。
そして、少なくとも、エアコンの室外機Ｘ１、第１の通路Ｐ１及び第２の通路Ｐ２は、帯状の日除け用シート２で覆わないようになっている（図１２参照）。
そのため、図１２記載の屋根体Ｄにあっては、折板屋根Ｒを覆っている帯状の日除け用シート２を剥がすことなく、そのままにして、折板屋根Ｒの谷部Ｒ２を利用した第１、第２の通路Ｐ１、Ｐ２を使ってエアコンの室外機Ｘ１の点検をすることができる。  
【００３８】
また、例えば、図１３記載のものにあっては、Ｐ１は、折板屋根Ｒの隣接する谷部Ｒ２同士で構成され、エアコンの室外機Ｘ１に至る人が通る第１の通路で、該第１の通路Ｐ１は、隣接する一方の谷部Ｒ２と隣接する他方の谷部Ｒ２とに足をかけて通ることができるようになっている。
また、Ｐ２は、一端が第１の通路Ｐ１に、他端が折板屋根Ｒの周縁部ＨＩＪＫの一縁部ＪＫにそれぞれ人の足が跨ることができる程度に近接し、第１の通路Ｐ１と折板屋根Ｒの周縁部ＨＩＪＫの一縁部ＪＫの間の行き来を許容できるように隣接する谷部Ｒ２の長手方向で構成された第２の通路で、該第２の通路Ｐ２は、谷部Ｒ２の長手方向を利用して足をかけて通ることができるようになっている。
そして、少なくとも、エアコンの室外機Ｘ１、第１の通路Ｐ１及び第２の通路Ｐ２は、帯状の日除け用シート２で覆わないようになっている（図１３参照）。
そのため、図１３記載の屋根体Ｄにあっては、折板屋根Ｒを覆っている帯状の日除け用シート２を剥がすことなく、そのままにして、折板屋根Ｒの谷部Ｒ２を利用した第１、第２の通路Ｐ１、Ｐ２を使ってエアコンの室外機Ｘ１の点検をすることができる。
【００３９】
なお、図１乃至図１６記載の実施例にあっては、突出部Ｒ３上の帯状の日除け用シート２を帯状の日除け用シート２の上から挟持部材１０により帯状の日除け用シート２を挟持して突出部Ｒ３に固定するようにしたが、突出部は、図２０乃至図２２に示すものでも良いし、また、突出部がない、例えば、図１７乃至図１９記載のものでも帯状の日除け用シート２を折板屋根Ｒの山部Ｒ１に固定して取り付けることができる。
【符号の説明】
【００４０】
Ｄ      屋根体
Ｒ      折板屋根
Ｒ１    山部
Ｒ２    谷部
Ｒ３    突出部
２      帯状の日除け用シート
【図１】
2013181311.tif 000003
【図２】
2013181311.tif 000004
【図３】
2013181311.tif 000005
【図４】
2013181311.tif 000006
【図５】
2013181311.tif 000007
【図６】
2013181311.tif 000008
【図７】
2013181311.tif 000009
【図８】
2013181311.tif 000010
【図９】
2013181311.tif 000011
【図１０】
2013181311.tif 000012
【図１１】
2013181311.tif 000013
【図１２】
2013181311.tif 000014
【図１３】
2013181311.tif 000015
【図１４】
2013181311.tif 000016
【図１５】
2013181311.tif 000017
【図１６】
2013181311.tif 000018
【図１７】
2013181311.tif 000019
【図１８】
2013181311.tif 000020
【図１９】
2013181311.tif 000021
【図２０】
2013181311.tif 000022
【図２１】
2013181311.tif 000023
【図２２】
2013181311.tif 000024